(57)【要約】【課題】  長さを調整することが出来るメガネツルであって、簡単にしかも短時間で調整することが出来、しかもメガネフレームの外観が損なわれない伸縮可能なメガネツルの提供。【解決手段】  メガネツルはツル本体９とツル部材１０で構成すると共にツル本体９の先端部に設けた嵌入部１５の穴１６にはツル部材１０のネジ部１３を嵌入し、該ネジ部１３には調整ナット１１を螺合して嵌入部１５に嵌入するネジ部１３の長さを調整可能としている。又嵌入部１5にはガイド溝１７を軸方向に設けて穴１６に嵌入したネジ部１３の回転を防止し、そして上記調整ナット１１のネジ部１３にロックナット１２を締付けしてツル本体９とツル部材１０を連結固定している。【選択図】    図６
2005141071.tif 000002
【特許請求の範囲】
【請求項１】
長さを調整することが出来るメガネツルにおいて、該メガネツルはツル本体とツル部材で構成すると共にツル本体の先端部に設けた嵌入部の穴にはツル部材のネジ部を嵌入し、該ネジ部には調整ナットを螺合して嵌入部に嵌入するネジ部の長さを調整可能とし、又嵌入部にはガイド溝を軸方向に設けて穴に嵌入したネジ部の回転を防止し、そして上記調整ナットのネジ部にロックナットを締付けしてツル本体とツル部材を連結固定したことを特徴とする伸縮可能なメガネツル。
【請求項２】
ツル部材のネジ部先端にはガイド片を取付け、該ガイド片の突出部を嵌入部に設けたガイド溝に嵌めて回転を防止した請求項１記載の伸縮可能なメガネツル。
【請求項３】
長さを調整することが出来るメガネツルにおいて、該メガネツルはツル本体とツル部材で構成すると共にツル部材の先端部に設けた嵌入部の穴にはツル本体のネジ部を嵌入し、該ネジ部には調整ナットを螺合して嵌入部に嵌入するネジ部の長さを調整可能とし、又嵌入部にはガイド溝を軸方向に設けて穴に嵌入したネジ部の回転を防止し、そして上記調整ナットのネジ部にロックナットを締付けしてツル本体とツル部材を連結固定したことを特徴とする伸縮可能なメガネツル。
【請求項４】
ツル本体のネジ部先端にはガイド片を取付け、該ガイド片の突出部を嵌入部に設けたガイド溝に嵌めて回転を防止した請求項１記載の伸縮可能なメガネツル。
【請求項５】
ロックナットは上記嵌入部の周囲をカバーする為のカバー筒部と分離して構成した請求項１、請求項２、請求項３、又は請求項４記載の伸縮可能なメガネツル。
【請求項６】
ツルの長さを調整する為に用いる長さ調整具において、該メガネツルはツル本体とツル部材で構成すると共にツル本体の先端部に設けた嵌入部の穴にはツル部材のネジ部を嵌入し、該ネジ部には調整ナットを螺合して嵌入部に嵌入するネジ部の長さを調整可能とし、又嵌入部にはガイド溝を軸方向に設けて穴に嵌入したネジ部の回転を防止し、そして上記調整ナットと連結したロックナットを嵌入部先端に回転自在に係止して取付けたことを特徴とするツル長さ調整具。
【発明の詳細な説明】
【技術分野】
【０００１】
本発明は伸縮することが出来るメガネツル、及び該ツルの長さを調整する調整具に関するものである。
【背景技術】
【０００２】
図９には一般的なメガネフレームを示しているように、フロント部(イ)とツル(ロ)、(ロ)を有し、ツル(ロ)、(ロ)はフロント部(イ)の両側から延びて折畳みすることが出来る。該フロント部(イ)は両リム(ハ)、(ハ)が連結部材(ニ)にて連結され、リム(ハ)、(ハ)の外側にはヨロイ(ホ)、(ホ)が固定され、そして上記ツル(ロ)、(ロ)はヨロイ(ホ)、(ホ)に継手を介して折畳み可能に取付けられている。
【０００３】
そして、リム(ハ)、(ハ)の内側であって連結部材(ニ)の下側には鼻当てパット(ヘ)、(ヘ)が取付けられ、更にツル(ロ)、(ロ)の先端部には樹脂製のモダン(ト)、(ト)が挿着されている。ところで、リム(ハ)、(ハ)には所定のレンズが嵌って顔に掛けることになるが、フロント部(イ)は鼻当てパット(ヘ)、(ヘ)を鼻に当てて支え、ツル(ロ)、(ロ)を顔側面に沿わせて耳に掛かることが出来る。
【０００４】
フロント部(イ)のサイズが顔に合うようなメガネフレームを選択することは勿論であるが、ツル(ロ)の長さは調整される。すなわち、モダン(ト)が耳の位置に合うように曲げられる。このように、メガネはフロント部(イ)の鼻当てパット(ヘ)、(ヘ)が正しく鼻に載って支持されると共に、ツル(ロ)、(ロ)が耳に係止するように調整されるが、ツル(ロ)が伸縮可能な構造と成ってその長さ調整を手軽に行うことが出来るようにしたメガネフレームも知られている。
【０００５】
図１０はツルの長さ調整機構を示す最も簡単の方法であり、ツル(ロ)はツル本体(リ)とツル部材(ヌ)で構成して互いにスライド出来る調整部(ル)を有し、調整部の(ル)のツル部材(ヌ)には複数のピン穴(チ)、(チ)・・が等間隔で穿設されている。このピン穴(チ)にピンを挿入すると共に、ツル本体(リ)に設けている穴に先端が嵌って固定される。ツル部材(ヌ)の適当なピン穴(チ)にピンを挿入することでツル(ロ)の長さが適当に調整され得る。
【０００６】
しかし、このような長さ調整機構では、ピン穴(チ)、(チ)・・の間隔でしか調整することが出来ない。又、ツル(ロ)にこのような調整部(ル)を設けることで、必然的にツルの太さは大きくなり、メガネフレームとしての外観が損なわれる。すなわち、近年のスリムなメガネフレームには適さない。
【０００７】
図１１は長さ調整機構を示す別の具体例であり、この具体例ではネジ機構が採用されている。フロント部側に連結しているツル本体(リ)に対して、ツル部材(ヌ)を回転するならばツル(ロ)の長さは伸縮することが出来る。そして、長さ調整はネジのピッチ間隔で行うことが可能であり、所定の長さでロックナット(オ)を締付けることでロックされる。しかし、ロックナット(オ)を締付けただけではツル部材(ヌ)を完全に固定することが出来ず、僅かでも回転するならば先端部に挿着したモダンの向きが変わって耳に係止することが出来ない。
【発明の開示】
【発明が解決しようとする課題】
【０００８】
このように、従来のツル長さ調整機構には上記のごとき問題がある。本発明が解決しようとする課題はこれら問題点であり、スリムな細いツルであっても適用でき、そして先端のモダン及び耳穴などに係止することが出来るパットの向きが変化しない長さ調整機構を備えた伸縮可能なメガネツルを提供する。又、ツルの長さを簡単にしかも短時間で調整することが出来る長さ調整具を提供する。
【課題を解決するための手段】
【０００９】
本発明に係る伸縮可能なメガネツルは、ネジ機構が採用されてネジのピッチ間隔での微調整を行うことが出来る。ツル本体の先端部に形成している穴にはツル部材の一部が嵌入して回転しないように連結し、そしてツル部材にはネジ部が設けられ、該ネジ部には調整ナットが螺合している。そこで、該調整ナットを回転して位置を変えることでツル本体の先端部に設けている嵌入部穴に嵌る長さが調整される。
【００１０】
そして、上記調整ナットの外周一部にはネジ部が形成され、該ネジ部にはロックナットが螺合して締付けられる。すなわち、ツル本体側に取付けられているロックナットは調整ナットの外周ネジ部に螺合して締付けられることで、ツル本体嵌入部の穴に嵌入したツル部材を固定することが出来る。一方、ロックナットを備えない構造で長さ調整具を構成することが出来る。この場合、調整ナットは嵌入部先端に係止して回転自在に取付け、調整ナットを回すことでツル部材を移動させ得る。
【００１１】
逆に、ツル部材の先端部に穴を形成し、該穴にツル本体の一部が嵌入して回転しないように連結することも出来る。ツル本体にはネジ部が設けられ、該ネジ部には調整ナットが螺合している。そこで、該調整ナットを回転して位置を変えることでツル部材の先端部に設けている嵌入部穴に嵌る長さが調整される。
【００１２】
そして、上記調整ナットの外周一部にはネジ部が形成され、該ネジ部にはロックナットが螺合して締付けられる。すなわち、ツル部材側に取付けられているロックナットは調整ナットの外周ネジ部に螺合して締付けられることで、ツル部材嵌入部の穴に嵌入したツル本体を固定することが出来る。
【発明の効果】
【００１３】
本発明のメガネツルは伸縮することが出来、ツル先端部のモダン又はパットが耳に係止することが出来るように調整することが出来る。そして、調整手段としてネジ機構が採用される為に微調整が可能となる。又、ツル本体の嵌入部の溝付穴に嵌入して連結するツル部材は回転することなく、モダン又はパットの向きが変わることはない。仮に、ロックナットが緩んだ場合であっても、向きは変化しない。
【００１４】
ツル部材に螺合する調整ナットを回転することで嵌入部の穴に嵌入するネジ部の長さが調整され、適度なところでロックナットを締付けることが出来る。そして、ツル本体及びツル部材を細くすることが出来、スリムなメガネフレームを構成する上で本発明の長さ調整部は障害にはならない。
【実施例】
【００１５】
図１は本発明に係る伸縮可能なツルを備えたメガネフレームを示している平面図である。同図の１はレンズが嵌まるリム、２は連結部材、３はヨロイ、４はツルを表していて、両リム１，１は連結部材２の両サイドにロウ付けされ、リム１，１の外側には上記ヨロイ３，３がロウ付けにて固定されている。そして、ヨロイ３，３の先端に設けている継手５，５を介して上記ツル４，４が折畳み出来るように取付けられている。又、リム１，１の内側には鼻当てパット７，７が取付けられている。
【００１６】
ところで、ツル４には調整部６が設けられ、該調整部のネジ機構にてツルの長さを調整することが出来る。そしてツル先端には樹脂製のパット８が設けられ、該パット８は耳の外輪内側にある凹状窪みに嵌まって係合する。
【００１７】
該パット８は概略玉子形をした滑らかな曲面にて構成され、耳の窪みに嵌まって位置ズレしないように、しかも外れないようになる。勿論、該パット８の形状は上記玉子形に限定するものではなく、痛みを伴うことなく窪みに係合することが出来ればよい。
【００１８】
ここで、ツル４の材質は問わないが、従来のメガネフレーム用ツルでよく、パット８が耳の窪みに嵌まっても痛みを感じないように適度な撓み変形が出来る弾性を備えている。また、弾力性に優れていないツル材質が用いられた場合には、上記継手としてバネ蝶番が使用される。該バネ蝶番とは周知の通り、メガネを掛ける際にツル４を開いた状態から、該ツル４を外方向へ押し開くことが出来るように構成し、パット８は適度な押圧力にて耳の窪みに嵌まって係合することが出来る。
【００１９】
図２はツル先端部の上記調整部６とパット８を示している。(ａ)は外観図であり、(ｂ)は内部構造を示し、ツル本体９とツル部材１０とが調整部６を介して連結され、ツル４の長さが調整可能となっている。ツル本体９の先端部に形成した穴にツル部材１０が挿入され、しかも穴への挿入長さを調整することでツル４の長さを変えることが出来る。
【００２０】
調整部６には調整ナット１１とロックナット１２が設けられ、該調整ナット１１はツル部材１０に設けているネジ部１３に螺合し、ロックナット１２は調整ナット１１の一部に設けているネジ部１４に螺合して締付けられている。図３はツル部材１０のネジ部１３に調整ナット１１を螺合している場合であり、(ａ)の場合には調整ナット１１の位置が右側へ移動して、ツル部材１０の先端から調整ナット１１までの長さＡは大きく、(ｂ) の場合には調整ナット１１の位置が左側へ移動して、ツル部材１０の先端から調整ナット１１までの長さａは小さくなっている。
【００２１】
ツル部材１０の先端から調整ナット１１までの距離Ａ、ａは、ツル本体９の先端部に形成している穴に嵌る部分となる。従って、(ａ)の場合には長さＡがツル本体９の穴に嵌入し、(ｂ)の場合には長さａがツル本体９の穴に嵌入することが出来る。その為に、ツル４の長さを長くする場合には、(ｂ)に示すように嵌入する長さをａのように短くし、逆にツル４の長さを短くする場合には嵌入する長さをＡのように長くする。
【００２２】
図４はツル本体９の先端部を表す拡大図であり、先端部にはツル部材１０が嵌入する嵌入部１５を有している。嵌入部１５は先端を開口した穴１６を形成し、そして、ガイド溝１７を沿設している。この穴１６にツル部材１０のネジ部１３が嵌入すると共に、ガイド溝１７にはネジ部先端に取付けられているガイド片１８が嵌って移動する。
【００２３】
上記ガイド片１８はガイド溝１７に嵌るブロックであって、ネジ部１３の外側へ一部突出し、この突出部１９がガイド溝１７に嵌入することが出来る。ここで、ガイド片１８はその向きが変化しないようにネジ部１３の先端に取付けられ、その為にネジ部１３が嵌入部１５の穴１６に嵌入する場合、ツル部材１０の向きは一定し、ひいてはツル部材１０の先端に取付けられているパット８の位置が変わることはない。
【００２４】
このように、ツル部材１０のネジ部１３は穴１６に嵌入し、その嵌入長さはＡであり、又はａと成る。すなわち、調整ナット１１のネジ部端面２０が嵌入部１５の先端２１に当接する。図５は嵌入部１５の穴１６にツル部材１０のネジ部１３が嵌入した場合を示している。ネジ部１４の端面２０は嵌入部１５の先端２１に当たるまで嵌入することが出来る訳で、調整ナット１１の位置によって嵌入するネジ部１３の長さが変化する。
【００２５】
図５の(ｂ)はＡ−Ａ断面、(ｃ)はＢ−Ｂ断面を各々表している。このように、調整ナット１１の位置を調整することでネジ部１３の嵌入長さが変化してツル４の長さを調整することが出来る。しかし、図５に示しているようにネジ部１３を嵌入しただけでは嵌入部１５から外れてしまう為に、ロックナット１２を締付けて固定する構造となっている。
【００２６】
ロックナット１２は嵌入部１５を覆って調整ナット１１のネジ部１４に螺合して締付けられる。嵌入部１５には外径を大きくする段差を形成するテーパー面２２を有し、ロックナット１２が調整ナット１１のネジ部１４に締付けられることで、該テーパー面２２を締付けてロックすることが出来る。図６はロックナット１２によって締付けられた状態を示している。
【００２７】
ところで、ツル４の長さを調整する場合には、ロックナット１２を外したところで調整ナット１１を回転し、図１におけるパット８の位置が変化する。そして、適当な位置に成ったところで、ロックナット１２を締付けることで固定される。
【００２８】
図７は図６の別形態であり、ロックナット１２ａによって締付けられた状態を示している。図６に示すロックナット１２はツル本体９の嵌入部１５をカバーする為の筒部を備えているが、同図のロックナット１２ａはカバー筒部３２を別部材として構成している。従って、ロックナット１２ａを締めるに際して薄肉のカバー筒部３２との境界域が捩れて表面塗装膜が剥がれることはない。ここで、カバー筒部３２は所定の位置に前以てロウ付けにて固定することが出来る。
【００２９】
図８はツルの長さを定める為のツル長さ調整具を示している。ツルの長さを定めるには、上記調整部６のロックナット１２を緩めて調整ナット１１を回転すればよいが、同図に示すツル長さ調整具を使用することで、簡単にしかも短時間で調整することが可能となる。
【００３０】
基本的な構造は前記図５に示したものと同じであり、ツル本体２３とツル部材２４、調整ナット３０で構成している。ツル部材２４に形成しているネジ部２６の先端にはガイド片２７が取付けられ、ツル本体２３に設けている穴に嵌入すると共に、ガイド片２７はガイド溝２８にガイドされてスライドすることが出来る。
【００３１】
そして、ツル部材２４のネジ部２６には調整ナット３０が螺合する。又ロックナット２５はツル本体２３の先端に設けているツメ２９に係止して取付けられ、自由に回転することが出来る。該ロックナット２５にはネジ穴の他に嵌合穴が一部に設けられると共に嵌合穴の内周面には凹溝が形成されている。ツル本体２３の先端に設けている嵌入部３１はロックナット２５の嵌合穴に嵌ると共にツメ２９は凹溝に係止して外れないようになる。又、調整ナット３０に設けているネジ部はロックナット２５のネジ穴に螺合して連結する。そこで、調整ナット３０を回転するならば、螺合しているネジ部２６が移動して、ツル部材２４はツル本体２３に対してスライドすることが出来、ツルの長さが調整される。
【００３２】
このツル長さ調整具はメガネを掛けた状態でツルの長さを調整することが出来、これに合わせて図５に示す調整ナット１１を回してツル長さを決定し、その後ロックナット１２を締付けることが出来る為に便利である。ただし、この長さ調整具を伸縮可能なメガネツルとしての利用も可能である。
【００３３】
図１に示したメガネはツル先端にパット８を取付けた場合であるが、一般的なメガネのように、モダンをツル先端部に挿着する場合にも同じように構成することが出来る。
【図面の簡単な説明】
【００３４】
【図１】ツル長さ調整部を備えたメガネフレームの平面図。
【図２】ツル長さ調整図を示す拡大図。
【図３】ツル部材のネジ部に調整ナットを螺合している場合。
【図４】ツル本体の先端部。
【図５】ツル部材のネジ部をツル本体の嵌入部穴に嵌入した場合。
【図６】長さ調整部の断面拡大図。
【図７】長さ調整図の断面拡大図。
【図８】ツル長さ調整具。
【図９】一般的なメガネフレーム。
【図１０】従来のツル長さ調整機構。
【図１１】従来のツル長さ調整機構。
【符号の説明】
【００３５】
１  リム
２  連結部材
３  ヨロイ
４  ツル
５  継手
６  調整部
７  鼻当てパット
８  パット
９  ツル本体
10  ツル部材
11  調整ナット
12  ロックナット
13  ネジ部
14  ネジ部
15  嵌入部
16  穴
17  ガイド溝
18  ガイド片
19  突出部
20  端面
21  先端
22  テーパー面
23  ツル本体
24  ツル部材
25  ロックナット
26  ネジ部
27  ガイド片
28  ガイド溝
29  ツメ
30  調整ナット
31  嵌入部
32  カバー筒部
【図１】
2005141071.tif 000003
【図２】
2005141071.tif 000004
【図３】
2005141071.tif 000005
【図４】
2005141071.tif 000006
【図５】
2005141071.tif 000007
【図６】
2005141071.tif 000008
【図７】
2005141071.tif 000009
【図８】
2005141071.tif 000010
【図９】
2005141071.tif 000011
【図１０】
2005141071.tif 000012
【図１１】
2005141071.tif 000013